(57)【要約】【課題】胸当てをあらかじめ前記前垂れの前側に垂設しておき、必要に応じて前記胸当ての下端を首下まで持ち上げて使用するようにして、不意の来客の際には即座に前記胸当てを前垂れの前側に垂下して対応できる便利でファッショナブルなエプロンを提供する。【解決手段】腰部から下の着衣の汚染を防止する前垂れと、前記前垂れの上縁端部に延設された長尺の紐と、前記前垂れの上縁の中央部に前記前垂れの前側に垂設され、胸部着衣の汚染を防止する必要のある場合にその下端を首下まで持ち上げて使用する胸当てとでなり、前記長尺の紐が、前記胸当てを垂下した状態で着用する場合には腰紐として腰部背後で結び、前記胸当ての下端を首下まで持ち上げて使用する場合には前記胸当てを係止する肩掛け紐として使用可能にしてなるエプロンによる。【選択図】  図１
0003114836.tif 000002
【実用新案登録請求の範囲】
【請求項１】
腰部から下の着衣の汚染を防止する前垂れと、前記前垂れの上縁端部に延設された長尺の紐と、前記前垂れの上縁の中央部に前記前垂れの前側に垂設され、その下端を首下まで持ち上げると胸部着衣の汚染を防止できる胸当てとで構成され、かつ、前記胸当てを首下まで持ち上げて使用する場合に前記長尺の紐の先端部と前記胸当ての下端部とを係止するための係止機構を備えてなることを特徴とするエプロン。
【請求項２】
腰部から下の着衣の汚染を防止する前垂れと、前記前垂れの上縁端部に延設された２本の長尺の紐と、前記前垂れの上縁の中央部に前記前垂れの前側に垂設され、その下端を首下まで持ち上げると胸部着衣の汚染を防止できる胸当てとで構成され、かつ、前記胸当ての下端を首下まで持ち上げて使用する場合に前記２本の長尺の紐のうちのいずれか１本の先端部と前記胸当ての下端部とを係止する係止機構を備えてなることを特徴とするエプロン。
【請求項３】
腰部から下の着衣の汚染を防止する前垂れと、前記前垂れの上縁端部に延設された長尺の紐と、前記前垂れの上縁の中央部に前記前垂れの前側に垂設され、その下端を首下まで持ち上げると胸部着衣の汚染を防止できる胸当てとで構成され、かつ、前記胸当ての下端部に胸当ての下端を首下まで持ち上げて使用する場合に前記胸当てを首に係止するためのジョイントを備えた首紐を有してなることを特徴とするエプロン。
【請求項４】
前記係止機構が、ボタンとボタン穴、長さ調整機能を有する接続具、又は面ファスナーのいずれかであることを特徴とする請求項１又は２に記載のエプロン。
【請求項５】
前記胸当てが、前記前垂れに着脱自在に垂設されてなることを特徴とする請求項１〜４のいずれか１項に記載のエプロン。
【請求項６】
前記胸当てが前垂れの前側に垂下された状態で表となる面に１又は複数のポケットを備えてなることを特徴とする請求項１〜５のいずれか１項に記載のエプロン。
【請求項７】
前記エプロンが、タオル地で作られてなることを特徴とする請求項１〜６のいずれか１項に記載のエプロン。
【考案の詳細な説明】
【技術分野】
【０００１】
胸部の着衣の汚染を防止する胸当てをあらかじめ腰部から下の着衣の汚染を防止する前垂れの前側に垂設し、必要に応じて前記胸当てを首下までえ持ち上げて使用できるようにしたエプロンに関する。
【背景技術】
【０００２】
家庭等で使用するエプロンでは、これまでにもさまざまな考案や発明がなされてきてはいるが、その形態は腰部から下の着衣の汚染を防止する前垂れを腰部に腰紐で結びつけて用いるものか、胸部の着衣の汚染を防止する胸当てと前記腰部から下の着衣の汚染を防止する前垂れとが一体として作られたものかのいずれかであった。
腰部から下の着衣の汚染を防止する前垂れ形のエプロンは、そのファッション性を考慮すれば来客時にも着用可能である。しかし、後者の胸当ての付いたエプロンは、炊事や掃除など家事労働には便利だが、機能性に重点が置かれるためファッション性に欠けるうらみがあり、着用時に不意の来客があるとエプロンを取り外して対応に出なければならないという不便さがある。
【考案の開示】
【考案が解決しようとする課題】
【０００３】
本考案は、上記背景技術に鑑み、前記胸当てをあらかじめ前記前垂れの前側に垂設しておき、必要に応じて前記胸当ての下端を首下まで持ち上げて使用するようにし、不意の来客の際には即座に前記胸当てを前垂れの前側に垂下して対応できる便利でファッショナブルなエプロンを提供するものである。
【課題を解決するための手段】
【０００４】
本発明者は、上記課題を下記の手段により解決した。
（１）腰部から下の着衣の汚染を防止する前垂れと、前記前垂れの上縁端部に延設された長尺の紐と、前記前垂れの上縁の中央部に前記前垂れの前側に垂設され、その下端を首下まで持ち上げると胸部着衣の汚染を防止できる胸当てとで構成され、かつ、前記胸当てを首下まで持ち上げて使用する場合に前記長尺の紐の先端部と前記胸当ての下端部とを係止するための係止機構を備えてなることを特徴とするエプロン。
【０００５】
（２）腰部から下の着衣の汚染を防止する前垂れと、前記前垂れの上縁端部に延設された２本の長尺の紐と、前記前垂れの上縁の中央部に前記前垂れの前側に垂設され、その下端を首下まで持ち上げると胸部着衣の汚染を防止できる胸当てとで構成され、かつ、前記胸当ての下端を首下まで持ち上げて使用する場合に前記２本の長尺の紐のうちのいずれか１本の先端部と前記胸当ての下端部とを係止する係止機構を備えてなることを特徴とするエプロン。
【０００６】
（３）腰部から下の着衣の汚染を防止する前垂れと、前記前垂れの上縁端部に延設された長尺の紐と、前記前垂れの上縁の中央部に前記前垂れの前側に垂設され、その下端を首下まで持ち上げると胸部着衣の汚染を防止できる胸当てとで構成され、かつ、前記胸当ての下端部に胸当ての下端を首下まで持ち上げて使用する場合に前記胸当てを首に係止するためのジョイントを備えた首紐を有してなることを特徴とするエプロン。
【０００７】
（４）前記係止機構が、ボタンとボタン穴、長さ調整機能を有する接続具、又は面ファスナーのいずれかであることを特徴とする前項（１）又は（２）に記載のエプロン。
【０００８】
（５）前記胸当てが、前記前垂れに着脱自在に垂設されてなることを特徴とする前項（１）〜（４）のいずれか１項に記載のエプロン。
【０００９】
（６）前記胸当てが前垂れの前側に垂下された状態で表となる面に１又は複数のポケットを備えてなることを特徴とする前項（１）〜（５）のいずれか１項に記載のエプロン。
【００１０】
（７）前記エプロンが、タオル地で作られてなることを特徴とする前項（１）〜（６）のいずれか１項に記載のエプロン。
【考案の効果】
【００１１】
本考案のエプロンによって下記のような効果が発揮できる。
（ア）請求項１の考案によれば、
腰部から下の着衣の汚染を防止する前垂れと、前記前垂れの上縁端部に延設された長尺の紐と、前記前垂れの上縁の中央部に前記前垂れの前側に垂設され、その下端を首下まで持ち上げると胸部着衣の汚染を防止できる胸当てとで構成され、かつ、前記胸当てを首下まで持ち上げて使用する場合に前記長尺の紐の先端部と前記胸当ての下端部とを係止する係止機構を備えているので、
前記長尺の紐を、前記胸当てを前垂れの前側に垂下した状態で着用する場合には腰で結ぶ腰紐として、また、前記胸当ての下端を首下まで持ち上げて着用する場合には前記長尺の紐を背中でたすき掛けにしてその先端部と胸当ての下端部とを係止機構によって肩越しに係止する肩掛け紐として使用でき、胸当ての使用、不使用を随時容易に選択できる。
【００１２】
（イ）請求項２の考案によれば、
腰部から下の着衣の汚染を防止する前垂れと、前記前垂れの上縁端部に延設された２本の長尺の紐と、前記前垂れの上縁の中央部に前記前垂れの前側に垂設され、その下端を首下まで持ち上げると胸部着衣の汚染を防止できる胸当てとで構成され、かつ、前記胸当ての下端を首下まで持ち上げて使用する場合に前記２本の長尺の紐のうちのいずれか１本の先端部と前記胸当ての下端部とを係止する係止機構を備えているので、
前記２本の長尺の紐のうちのいずれか１本は腰紐として使用し、他の１本を前記胸当ての下端を首下まで持ち上げて使用する場合には該長尺の紐を背中でたすき掛けにしてその先端部と胸当ての下端部とを係止機構によって肩越しに係止する肩掛け紐とし、胸当てを前垂れの前側に垂下した状態で着用する場合には前記肩掛け紐として用いた長尺の紐は腰部背後で結んでおけることから、胸当てを持ち上げて着用している場合の不意の来客にも、胸当てと長尺の紐との係止を解き、胸当てを前垂れの前方に垂下するとともに、係止を解いた長尺の紐を腰部背後で結ぶことにより即座に来客に対応できる様態とすることができる。
【００１３】
（ウ）請求項３の考案によれば、
腰部から下の着衣の汚染を防止する前垂れと、前記前垂れの上縁端部に延設された長尺の紐と、前記前垂れの上縁の中央部に前記前垂れの前側に垂設された胸当てと、前記胸当ての下端に該胸当ての下端を首下まで持ち上げて使用する場合に胸当てを首に係止するためのジョイントを備えた首紐を有しているので、
胸当てを首下まで持ち上げて使用する場合には、首紐をジョイントで首にワンタッチで係止でき、また胸当てを持ち上げて着用している場合の不意の来客にも、前記ジョイントを解除して首紐を首からはずし胸当てを前垂れの前側に垂下することにより即座に来客に対応できる様態とすることができる。
【００１４】
（エ）請求項４の考案によれば、
前記長尺の紐と胸当ての係止機構が、ボタンとのボタン穴、長さ調節機能を有する接続具、又は面ファスナーのいずれかであるので、
胸当てを首下まで持ち上げて使用する場合、長尺の紐の端部と胸当ての下端部との係止が容易・確実にできる。
また、前記長尺の紐と胸当ての係止機構が、長さ調節機能を有する接続具の場合には、胸当て下端部に係止する長尺の紐の長さを着用者の身長、座高等に合わせて調整でき、胸当てを最も適切な位置に、確実、容易に配置できる。
【００１５】
（オ）請求項５の考案によれば、
前記胸当てが前記前垂れに着脱自在に垂設されてなるので、種々の色彩や模様の胸当てを交換して取り付けられ、季節、天候、気分等にマッチしてエプロンを構成して着用できる。
【００１６】
（カ）請求項６の考案によれば、
前記胸当てが前垂れの前側に垂下された状態で表となる面に１又は複数のポケットを備え、家事の際に必要な小物類を収納できるばかりでなく、エプロンのアクセント部分として活用すればファッション性の向上にも役立つ。
【００１７】
（キ）請求項７の考案によれば、
前記エプロンがタオル地で作られているので、肌触りが柔らかで、しわになりにくく、吸水性に富んで前垂れを手拭き代わりに使用もでき、さらに洗濯が容易なので清潔さを保持しやすい。
【考案を実施するための最良の形態】
【００１８】
本考案のエプロンの実施するための最良の形態を、実施例の図面に基づいて説明する。
図１は本考案請求項１のエプロンの実施例の正面図、図２は図１のエプロンを着用した状態図であり、いずれも（ａ）は胸当てが前垂れの前側に垂下された状態、（ｂ）は胸当てを首下まで持ち上げた状態を示している。
また、図３は本考案請求項２のエプロンの実施例の構成図であり、（ａ）は胸当てを垂下した状態の正面図、（ｂ）は胸当てを持ち上げて使用するときの状態を示す背面図、（ｃ）は胸当てを垂下して使用するときの状態を示す背面図である。
図４は前記長尺の紐と前垂れとの係止機構を示す図であり、（ａ）はボタンとボタン穴によるもの、（ｂ）は長さ調整機能を有する接続具によるもの、（ｃ）は面ファスナーによるものであり、図５は本考案請求項３のエプロンの一実施例の正面図及びジョイントの拡大図であり、（ａ）は胸当てを持ち上げて使用するときの状態、（ｂ）は胸当てが前垂れの前側に垂下されたときの状態を示している。
図において、１は前垂れ、２は胸当て、３、３’は長尺の紐、４はボタン穴、５はボタン、６はポケット、７は長さ調整機能を有する接続具、８はワンタッチジョイント、９は首紐、１０は面ファスナーである。
【実施例１】
【００１９】
本考案のエプロンの第１の実施例は、図１（ａ）に示すように、腰部から下の着衣の汚染を防止する前垂れ１と、前記前垂れ１の上縁端部に延設された長尺の紐３と、前記前垂れ１の上縁の中央部に前記前垂れ１の前側に垂設され、その下端を首下まで持ち上げると胸部着衣の汚染を防止できる胸当て２とで構成され、かつ、前記胸当て２が前垂れ１の前側に垂下された状態において表となる胸当て２の面に１又は複数のポケット６が縫着されている。
また、前記胸当て２の裏面下端部両脇に、図１（ｂ）に示すように、前記胸当て２の下端を首下まで持ち上げて使用する場合に前記長尺の紐３の先端部と前記胸当て２の下端部とを係止する係止機構として、前記長尺の紐３の先端部に穿ったボタン穴４を係止するボタン５が縫着されている。
そして前記長尺の紐３は、前記胸当て２を前垂れ１の前側に垂下した状態で本考案のエプロンを着用する場合には、図２（ａ）に示すように腰紐として腰部背後で結び、胸当て２の下端を首下まで持ち上げて使用する場合には、図２（ｂ）に示すように胸当て２の裏面下端部両脇に縫着された前記ボタン５に前記長尺の紐の先端部に穿ったボタン穴を係止［図４（ａ）参照］して肩掛け紐として使用できるようにしている。
なお、この場合長尺の紐３が前垂れ１の上縁に縫着されているため肩掛け紐として使用する場合その長さの調整ができず、着用する人によっては最適な長さとならない場合も生じる。したがって、ボタン５とボタン穴４による係止機構に代えて、図４（ｂ）に示すような長さ調整機能を有する接続具７を前記胸当て２に装着しておき、前記長尺の紐３の先端を矢印で示した経路に沿って挿入して引っ張ることによって肩掛け紐としての長さを任意に調整できるようにしておくことも好ましい。また、紐の長さを調整できる機能を有する接続具は図示したものに限られるものでなく、操作が容易なものであれば使用することを妨げるものではない。
さらに、エプロンの素材によっては、前記係止機構に面ファスナーを用いることも好ましい。
【実施例２】
【００２０】
本考案のエプロンの第２の実施例は、図３（ａ）に示すように、腰部から下の着衣の汚染を防止する前垂れ１と、前記前垂れ１の上縁端部に延設された２本の長尺の紐３、３’と、前記前垂れ１の上縁の中央部に前記前垂れ１の前側に垂設され、その下端を首下まで持ち上げると胸部着衣の汚染を防止できる胸当て２とで構成され、かつ、前記胸当て２が前垂れ１の前側に垂下された状態において表となる胸当て２の面に１又は複数のポケット６が縫着されている。
また、前記胸当て２の裏面下端部両脇に、図２（ｂ）に示すように、前記胸当て２の下端を首下まで持ち上げて使用する場合に前記長尺の紐３の先端部と前記胸当て２の下端部とを係止する係止機構として、前記長尺の紐３、３’の先端部に穿ったボタン穴４を係止するボタン５（図示せず）が縫着されている。
そして前記２本の長尺の紐３、３’のいずれか１本、例えば３は前記前垂れ１を腰部に装着する腰紐として腰部背後で結び、他の１本、例えば３’は、前記胸当て２の下端を首下まで持ち上げて使用する場合には、図３（ｂ）に示すように、背中でたすき掛けにして前記胸当て２を肩越しに係止する肩掛け紐とし、また胸当て２を前垂れ１の前側に垂下した状態で着用する場合には、図３（ｃ）に示すように、腰部背後で結んでおけるようにしている。
これによって胸当て２の下端を首下まで持ち上げて使用しているときの不意の来客にも、前記肩掛け紐とした長尺の紐３’の胸当て２への係止を解き、胸当て２を前垂れ１の前側に垂下するとともに、係止を解いた長尺の紐３’を腰部背後に結ぶことによって即座に来客に対応できる様態にすることができる。
なお、この場合も実施例１と同様に、長尺の紐３’が前垂れ１の上縁に縫着されているため肩掛け紐として使用する場合にその長さの調整ができず、着用する人によっては最適な長さとならない場合が生じる。したがって、ボタン５とボタン穴４とによる係止機構に代えて、図４（ｂ）に示す長さ調節機能を有する接続具７を前記胸当て２に装着しておき、前記長尺の紐の先端を矢印で示した経路に沿って挿入して引っ張ることによって肩掛け紐としての長尺の紐３’の長さを任意に調整できるようにしておくことも好ましい。また、紐の長さを調整できる機能を有する接続具は図示したものに限られるものでなく、操作が容易なものであれば使用することを妨げるものではない。
さらに、エプロンの素材によっては、前記係止機構に面ファスナーを用いることも好ましい。
【実施例３】
【００２１】
本考案のエプロンの第３の実施例は、図５（ｂ）に示すように、腰部から下の着衣の汚染を防止する前垂れ１と、前記前垂れ１の上縁端部に延設された長尺の紐３と、前記前垂れ１の上縁の中央部に前記前垂れ１の前側に垂設され、その下端を首下まで持ち上げて胸部着衣の汚染を防止する胸当て２とで構成され、かつ、前記胸当て２の下端部に該胸当て２の下端を首下まで持ち上げて使用する場合に前記胸当て２を首に係止するためのジョイント８を備えた首紐を有している。
前記ジョイント８は、拡大図に示すように、その雄部８ａを雌部８ｂに挿入することによってワンタッチで結合される公知のものであってよく、前記胸当て２を前垂れ１の前側に垂下して使用する場合には図５（ａ）に示すように前記ジョイント８の雄部８ａと雌部８ｂとを結合して首紐９が胸当て２から垂れ下がらないようにする。
また、図５ではジョイント８を首紐９の片側に設け、首紐の他端を胸当て２に縫着した様態で示したが、前記ジョイントを首紐９の両端に設け、またジョイント８の２つの雌部８ｂを前記胸当て２が前垂れ１の前側に垂下されたとき胸当て２の背面に隠れる位置に装着しておき、前記胸当て２を前垂れ１の前側に垂下して使用する場合には首紐９を胸当て２から取り外し、胸当て２に縫着したポケットに格納して、前垂れ１の前側に垂下した胸当て２の下縁から首紐９が垂れ下がるファッション性を損なう不都合を解消することも好ましい。
これによって胸当て２の下端を首下まで持ち上げて使用している時でも、首紐９をワンタッチで取り除いて胸当てを前垂れの前側に垂下することによって、不意の来客にも即座に対応できるエプロンに変容させることができる。
【００２２】
上記実施例１〜３の本考案のエプロンにおいて、前記胸当て２を前記前垂れ１に着脱自在に垂設できるようにしておけば、種々の色彩や模様の胸当てを交換して使用でき、季節、天候、気分にマッチしたエプロンを構成して着用でき好ましい。
また、胸当て２が前垂れ１の前側に垂下された状態で表となる面に１又は複数のポケット６を備えることができ、また、その前垂れ１に１又は２個のポケット（図示せず）を備えておくことも好ましい。その備える位置としては、胸当て２を前垂れ１の前側に垂下したとき、その背後に隠れる所に配置するとデザイン上及び使用の利便上好ましい。
なお、図示しないが、前記胸当て２のポケット６の出口付近にフォックや面ファスナーなどの止め具を設ければ、胸当て２を、その下端を首下まで持ち上げた場合に、ポケット６中の収容物が落下することを防止することができる。
【００２３】
また、素材も通常エプロンに使用されるものであればいずれも使用できるが、炊事、洗濯など水回りの仕事の多い家事用のエプロンとしては、肌触りが柔らかで、吸水性に富み、洗濯が容易なタオル地で作られたものがより好ましい。
【図面の簡単な説明】
【００２４】
【図１】本考案請求項１のエプロンの実施例の正面図  （ａ）は胸当てが前垂れの前側に垂下された状態  （ｂ）は胸当てを持ち上げて使用した状態
【図２】図１のエプロンを着用した状態図  （ａ）は胸当てが前垂れの前側に垂下された状態  （ｂ）は胸当てを持ち上げて使用した状態
【図３】本考案請求項２のエプロンの実施例の構成図  （ａ）は胸当てを垂下した状態の正面図  （ｂ）は胸当てを持ち上げて使用するときの状態を示す背面図  （ｃ）は胸当てを垂下して使用する時の状態を示す背面図
【図４】前垂れと長尺の紐との係止の形状を示す図  （ａ）はボタンとボタン穴によるもの  （ｂ）は長さ調整機能を有する接続具によるもの  （ｃ）は面ファスナーによるもの
【図５】本考案請求項３のエプロンの一実施例の正面図及びジョイント部の拡大図  （ａ）は胸当てを持ち上げて使用するときの状態  （ｂ）は胸当てが前垂れの前側に垂下されたときの状態
【符号の説明】
【００２５】
１：前垂れ
２：胸当て
３、３’：紐
４：ボタン穴
５：ボタン
６：ポケット
７：長さ調整機能を有する接続具
８：ジョイント
９：首紐
１０：面ファスナー
【図１】
0003114836.tif 000003
【図２】
0003114836.tif 000004
【図３】
0003114836.tif 000005
【図４】
0003114836.tif 000006
【図５】
0003114836.tif 000007